(57)【要約】【課題】電磁型や圧電型や撓み振動型などの種類によらず、励振特性の良好なパネル型スピーカを提供する。【解決手段】本発明のパネル型スピーカは、振動板( P ) に開口( Q ) が形成され、この開口を塞ぐ板状の帯域補正用振動板( R ) が振動板( P ) に取付けられ、この帯域補正用振動板( R ) の裏面にエキサイタ( E ) が固定されるか、電磁型エキサイタ( E ) のボビンの先端部に固定されたサブパネルが開口( Q ) 内に固定されるか、あるいは、撓み振動型エキサイタ( E ) のケースが開口( Q ) 内に固定される。  【選択図】図１
2006121325.tif 000002
【特許請求の範囲】
【請求項１】
表示装置の保護板その他の板状体を振動板として利用し、この振動板の裏面に設置したエキサイタからこの振動板に前後方向の振動を伝達することによりこの振動板に撓み振動を励振する振動モード方式のパネル型スピーカにおいて、
前記振動板に開口が形成され、この開口を塞ぐ板状の帯域補正用振動板が前記振動板に取付けられ、この帯域補正用振動板の裏面に前記エキサイタが固定されたことを特徴とするパネル型スピーカ。
【請求項２】
請求項１において、
前記帯域補正用振動板は、前記振動板とは異なる厚みを有する樹脂であることを特徴とするパネル型スピーカ。
【請求項３】
請求項１において、
前記帯域補正用振動板は、前記振動板と異なる材質を有することを特徴とするパネル型スピーカ。
【請求項４】
請求項３において、
前記帯域補正用振動板は、アルミニウム合金、チタン合金その他の金属を素材とすることを特徴とするパネル型スピーカ。
【請求項５】
請求項１乃至４のいずれかにおいて、
前記帯域補正用振動板は、前記振動板に接着によって固定されたことを特徴とするパネル型スピーカ。
【請求項６】
請求項１乃至５のいずれかにおいて、
前記エキサイタは、電磁型、圧電型のいずれかであることを特徴とするパネル型スピーカ。
【請求項７】
表示装置の保護板その他の板状体を振動板として利用し、この振動板の裏面に設置した電磁型のエキサイタからこの振動板に前後方向の振動を伝達することによりこの振動板に撓み振動を励振する振動モード方式のパネル型スピーカにおいて、
前記振動板に開口が形成され、前記電極型エキサイタのボビンの先端部に固定されたサブパネルがこの開口内に嵌合され固定されたことを特徴とするパネル型スピーカ。
【請求項８】
表示装置の保護板その他の板状体を振動板として利用し、この振動板の裏面に設置した撓み振動型のエキサイタからこの振動板に前後方向の振動を伝達することによりこの振動板に撓み振動を励振する振動モード方式のパネル型スピーカにおいて、
前記振動板に開口が形成され、前記撓み振動型エキサイタはケースに収容されており、このケースが前記開口内に嵌合され固定されたことを特徴とするパネル型スピーカ。
【発明の詳細な説明】
【技術分野】
【０００１】
本発明は、表示装置の保護パネルなどを振動板として利用するパネル型スピーカに関するものである。
【背景技術】
【０００２】
従来、表示装置の保護パネルなどを振動板として利用するパネル型スピーカが開発されてきた。このパネル型スピーカは、振動板として利用する表示装置の保護パネルの裏側に電磁型や圧電型のエキサイタを宙づりの状態で固定し、このエキサイタから保護パネルに前後方向への振動を伝達することによって保護パネルに撓み振動を励振するように構成されている（特許文献１）。このパネル型スピーカは、小型で高音質のため、携帯電話機のような小型で実装密度の高い携帯用機器に広く利用されつつある。
【０００３】
特許文献２には、エキサイタによる励振効率を向上させるために、図６に示すように、表示装置の保護パネルを兼ねた振動板Ｐの周辺部に薄肉部分を形成し、この薄肉部分に圧電型のエキサイタＥを取付けるという技術が開示されている。なお、図６においてＨは保護パネルを支持する支持枠である。
【０００４】
【特許文献１】特開２００３−１４３６９０号公報（図１）
【特許文献２】特開２００２−２３２５４２号公報（図２）
【発明の開示】
【発明が解決しようとする課題】
【０００５】
上述した特許文献２のパネル型スピーカは、励振能率を高めるために、振動板に薄肉の個所を形成しそこにエキサイタを固定している。この固定個所の厚みの最適値は、ここに取付けるエキサイタの周波数特性や音声出力や寸法などによって変化する。この結果、故障したエキサイタを異なる型式や、電磁型や圧電型や撓み振動型などの異なる種類のものに変更する場合に、振動板の薄肉個所の厚みがこの型式や種類に合わないため、励振特性が低下するという問題がある。
【課題を解決するための手段】
【０００６】
上記従来技術の課題を解決する本第１の発明のパネル型スピーカは、表示装置の保護板その他の板状体を兼ねた振動板に開口が形成され、この開口を塞ぐ板状の帯域補正用振動板が前記振動板に取付けられ、この帯域補正用振動板の裏面に前記エキサイタが固定されるように構成されている。
【０００７】
本第２の発明のパネル型スピーカは、表示装置の保護板その他の板状体を兼ねた振動板に開口が形成され、電極型エキサイタのボビンの先端部に固定されたサブパネルがこの開口内に嵌合され固定されるように構成されている。
【０００８】
本第３の発明のパネル型スピーカは、表示装置の保護板その他の板状体を兼ねた振動板に開口が形成されると共に、エキサイタとして使用する撓み振動型エキサイタはケースに収容されており、このケースの上面又は下面が前記開口内に嵌合され固定されるように構成されている。
【発明の効果】
【０００９】
本第１の発明のパネル型スピーカは、開口を塞ぐ帯域補正用振動板とエキサイタとを組み合わせ可能としたため、エキサイタの周波数特性に合致した振動板への撓み振動の励振に最適の厚みや素材の帯域補正用振動板を使用できる。また、エキサイタを異なる型式や種類のものに交換する場合でも、最適の励振特性を実現することが可能になる。
【００１０】
本第２，第３の発明のパネル型スピーカは、エキサイタの構成要素のサブパネルやケースの壁面を帯域補正用振動板と兼用させる構成であるから、帯域補正用振動板を省略することで構成の簡略化を図りながら最適の励振効率を実現することができる。
【発明を実施するための最良の形態】
【００１１】
本第１の発明の好適な実施の形態によれば、帯域補正用振動板が振動板とは異なる厚みを有する樹脂によって構成される。
【００１２】
本第１の発明の他の好適な実施の形態によれば、帯域補正用振動板が振動板と異なる材質を有し、樹脂、アルミニウム合金、チタン合金その他の金属を素材とするように構成されている。
【実施例】
【００１３】
図１は本第１の発明の一実施例のパネル型スピーカの構成を示す部分断面図であり、Ｐはモニタや携帯電話機などの液晶表示装置の保護板を兼ねた振動板、Ｑは振動板Ｐの周辺部分に形成された円形の開口、Ｒは開口Ｑに嵌め込まれて振動板Ｐに接着固定された帯域補正用振動板、Ｅは帯域補正用振動板Ｒに宙づり状態で接着固定された電磁型（可動線輪型）のエキサイタである。さらに、この可動線輪型のエキサイタＥにおいて、ｍは磁気回路、ｂは円筒形状のボビン、ｓはボビンの先端面に固定されたサブパネルである。
【００１４】
振動板Ｐは、樹脂などの板で形成されており、モニタや携帯電話機などの液晶表示装置の表面を保護する保護板を兼ねている。帯域補正用振動板Ｒは、振動板Ｐよりも小さな厚みの樹脂で形成され、その表面が振動板Ｐの表面と同一の平面上に存在するように開口Ｑの内部に嵌め込まれる。この帯域補正用振動板Ｒは、開口Ｑの内壁面とこの開口Ｑの周縁の振動板Ｐの裏面に接着剤で固定される。この帯域補正用振動板Ｑの裏面に、エキサイタＥのボビンｂの先端部に固定されたサブパネルｓが接着固定されている。
【００１５】
可動線輪型のエキサイタＥにおいて、ボビンｂに巻かれた線輪（ボイスコイル）が磁気回路ｍに形成された磁気ギャップ内に配置されている。このボイスコイルに信号線（図示省略）を通して音声周波数帯の交流信号が供給されると、前後方向（円筒形状のボビンｂの中心軸方向）への駆動力が発生し、ボビンが前後に振動する。この振動がサブパネルｓを介して帯域補正用振動板Ｒに伝達される。この結果、帯域補正用振動板Ｒが前後に振動し、振動板Ｐに撓み振動が励振され、この励振された撓み振動がエキサイタが固定された振動板Ｐの周辺部分からその中心部分に伝播する。
【００１６】
帯域補正用振動板Ｒの厚みは、その直径と、エキサイタＥが発生する音声信号の中心周波数と、振動板Ｐの厚みなどを考慮して最適の値が選択される。一例として、帯域補正用振動板Ｒの厚みは、振動板Ｐの開口Ｑ周辺の変形も考慮した固有振動数（共振周波数）がエキサイタＥの発生する音声信号の中心周波数とほぼ一致するように選択される。エキサイタは、低音域用や中・高音域用などに分かれていてもよいし、全音域を一つでカバーするようなものでもよい。一般には、エキサイタＥが受け持つ音声信号の周波数が高くなるほど、帯域補正用振動板Ｒの厚みが減少する。
【００１７】
帯域補正用振動板Ｒの素材としては、樹脂のほか、大きな剛性と振動のＱ値とを有するアルミニウム合金やチタン合金などの金属を使用することもできる。このように、振動板Ｐとは異なる材質や厚みの帯域補正用振動板Ｒを使用することにより、振動板Ｐと組合せた総合的な周波数特性が改良され、広帯域の音質、左右の分離度、音の分離度などが改良される。また、最適な振動モードの設計や音質の調整が可能になる。
【００１８】
図２は、本第１の発明の他の実施例のパネル型スピーカの構成を示す正面図（Ａ）とそのＢ−Ｂ’部分断面図（Ｂ）である。図２において、図１と同一の参照符号を付した構成要素は、図１の実施例に関して既に説明した構成要素と同一のものであり、これらについては重複する説明を省略する。この実施例のパネル型スピーカは、振動板Ｐの周辺部に概略楕円形状の開口Ｑが形成され、この開口Ｑに楕円形状の帯域補正用振動板Ｒが嵌め込まれて接着固定されている。
【００１９】
２個の可動線輪型のエキサイタＥ１，Ｅ２のサブパネルが、帯域補正用振動板Ｒに接着剤で固定されている。エキサイタＥ１，Ｅ２は、帯域補正用振動板Ｒに宙づり状態ではなく、振動板Ｐの保持を兼ねた保持機構Ｈ１，Ｈ２によって保持されている。このように、１個の大型のエキサイタによって所望の全音声出力を発生させるのではなく、２個の小型のエキサイタを並列動作させることによってそれぞれに半分ずつの音声出力を発生させる構成とすることにより、エキサイタの寸法、従って開口Ｑと帯域補正用振動板Ｒの幅を減少させ、実装に必要な空間を狭めることができる。
【００２０】
図３は、本第１の発明のさらに他の実施例のパネル型スピーカの構成を示す正面図（Ａ）と、そのＢ−Ｂ’部分断面図（Ｂ）である。図３において、図１，２と同一の参照符号を付した構成要素は、図１，２の実施例に関して既に説明した構成要素と同一のものであり、これらについては重複する説明を省略する。この実施例のパネル型スピーカでは、高音用のエキサイタＥ１が、振動板Ｐの周辺部に形成された円形状の開口Ｑに嵌め込まれて接着固定された帯域補正用振動板Ｒに、接着固定されている。これに対して、中・低音用のエキサイタＥ２は、従来と同様、振動板Ｐの裏面に接着固定されている。このように、対のエキサイタのうち一方だけが、開口に嵌め込まれた帯域補正用振動板Ｒに接着固定される。
【００２１】
図４は、本第２の発明の一実施例のパネル型スピーカの構成を示す部分断面図である。図４中図１〜図３と同一の参照符号を付した構成要素は、図１〜図３の実施例に関して既に説明した構成要素と同一のものであり、これらについては重複する説明を省略する。この実施例のパネル型スピーカでは可動線輪型のエキサイタＥのボビンｂの先端面に固定されたサブパネルｓが、図１〜図３の実施例のスピーカの帯域補正用振動板Ｒを兼用しており、このため、帯域補正用振動板Ｒは省略されている。
【００２２】
このサブパネルｓに帯域補正用振動板Ｒを兼用させるため、サブパネルｓの直径と厚みは通常のエキサイタのものよりも大きめに作られている。樹脂を素材とするサブパネルｓの周辺部が振動板Ｐの周辺部に形成された開口Ｑの内壁面に接着固定される。ボイスコイルに音声信号が供給されボビンｂとサブパネルｓが前後に振動すると、振動板Ｐに撓み振動が励振される。この励振された撓み振動がエキサイタＥが固定された振動板Ｐの周辺部分からその中心部分に伝播する。
【００２３】
図５は、本第３の発明の一実施例のパネル型スピーカの構成を示す正面図（Ａ）とそのＢ−Ｂ’部分断面図（Ｂ）である。図５において、図１〜図４と同一の参照符号を付した構成要素は、図１〜図４の実施例に関して既に説明した構成要素と同一のものであり、これらについては重複する説明を省略する。この実施例のパネル型スピーカは、携帯電話機の液晶表示パネルの保護板を兼ねた振動板Ｐの上部に矩形状の開口Ｑが形成され、この開口Ｑに撓み振動型エキサイタＥのケースが嵌め込まれて接着固定されている。
【００２４】
撓み振動型エキサイタＥは、図６の断面図に示すように、矩形状のケースＣとこのケースＣ保持されて撓み振動を行うビームｂ１，ｂ２と、信号入力端子ｔ１，ｔ２とから構成されている。ケースＣの上下の面と側面は平坦面であり、図５に示すように、このケースＣの上下の面が液晶表示パネルの保護板を兼ねた振動板Ｐの面と同一平面内に位置するように、ケースＣが振動板Ｐに形成された矩形状の開口Ｑに嵌め込まれ接着固定される。
【００２５】
以上、本発明のパネル型スピーカを携帯電話機などの小型携帯電子機器に取付ける構成を例示した。しかしながら、このパネル型スピーカをパソコンなどの据え置き型の電子機器の保護板の裏側などに設置することもできる。
【図面の簡単な説明】
【００２６】
【図１】本第１の発明の一実施例のパネル型スピーカの構成を示す部分断面図である。
【図２】本第１の発明の他の実施例のパネル型スピーカの構成を示す部分断面図である。
【図３】本第１の発明のさらに他の実施例のパネル型スピーカの構成を示す部分断面図である。
【図４】本第２の発明の一実施例のパネル型スピーカの構成を示す部分断面図である。
【図５】本第３の発明の一実施例のパネル型スピーカの構成を示す部分断面図である。
【図６】図５の実施例の撓み振動型エキサイタの構成を示す分解斜視図である。
【図７】従来のパネル型スピーカの構成の一例を示す部分断面図である。
【符号の説明】
【００２７】
P         表示装置の保護板を兼ねた振動板
Q         振動板に形成された開口
R         帯域補正用振動板
E,E1,E2   エキサイタ
ｍ        磁気回路
ｂ        可動線輪型エキサイタのボビン
ｓ        可動線輪型エキサイタのサブパネル
C         撓み振動型エキサイタのケース
B         撓み振動型エキサイタの保持体
b1,b2     撓み振動エキサイタのビーム
【図１】
2006121325.tif 000003
【図２】
2006121325.tif 000004
【図３】
2006121325.tif 000005
【図４】
2006121325.tif 000006
【図５】
2006121325.tif 000007
【図６】
2006121325.tif 000008
【図７】
2006121325.tif 000009